(57)【要約】【課題】  浮体が絡み合うことなく移動浮体を固定部材側に移動させることができ、面体の展開及び収容がスムーズにしかも速やかに行える開閉式港湾構造物とする。【解決手段】  移動浮体４をアンカレッジ８に移動させて固定することで航路６の間に防潮膜２が展開される開閉式防潮・防波堤１において、航路６に沿った方向に浮体１０が並列する状態に移動浮体４が位置して防潮膜２が収容され、移動浮体４は引き込みワイヤー３７及び繰り出しワイヤー３８にそれぞれつながれ個別に操作を行って移動浮体４を移動させ、浮体１０が絡み合うことなく移動浮体４をアンカレッジ８側に移動させ、防潮膜２の展開及び収容がスムーズにしかも速やかに行える開閉式防潮・防波堤１とする。【選択図】        図２
2005264482.tif 000002
【特許請求の範囲】
【請求項１】
一側辺が構造側部材に固定され他側辺が移動浮体に固定されて上辺が複数の浮体に取り付けられ水深方向及び水平方向に展開される面体を有し、前記移動浮体を固定部位に移動させて固定することで前記構造部材と前記固定部位との間に前記面体が展開される開閉式港湾構造物において、
前記構造物側と前記固定部位とを結ぶ方向に対して交差する方向に前記浮体が並列する状態に前記移動浮体が位置して前記面体が収容され、
前記移動浮体は前記固定部位側及び前記構造側部材側に索体によってそれぞれつながれ、それぞれの索体を個別に引き込み操作及び繰り出し操作を行うことで前記移動浮体を移動させる
ことを特徴とする開閉式港湾構造物。
【請求項２】
一側辺が構造側部材に固定され他側辺が移動浮体に固定されて上辺が複数の浮体に取り付けられ水深方向及び水平方向に展開される面体を有し、前記移動浮体を固定部位に移動させて固定することで前記構造部材と前記固定部位との間に前記面体が展開される開閉式港湾構造物において、
前記移動浮体の移動時に該移動浮体の回動を阻止する回動阻止手段を備えた
ことを特徴とする開閉式港湾構造物。
【請求項３】
請求項２に記載の開閉式港湾構造物において、
前記回動阻止手段は、前記移動浮体の水深方向の複数箇所に接続される索体であり、索体をそれぞれ個別に操作することで移動時の前記移動浮体の回動を阻止する
ことを特徴とする開閉式港湾構造物。
【請求項４】
請求項２に記載の開閉式港湾構造物において、
前記回動阻止手段は、前記移動浮体に複数の空洞の室が設けられることで構成され、複数の室に水を出し入れすることで移動時の前記移動浮体の回動を阻止する
ことを特徴とする開閉式港湾構造物。
【請求項５】
一側辺が構造側部材に固定され他側辺が移動浮体に固定されて上辺が複数の浮体に取り付けられ水深方向及び水平方向に展開される面体を有し、前記移動浮体を固定部位に移動させて固定することで前記構造部材と前記固定部位との間に面体が展開される開閉式港湾構造物において、
前記移動浮体を前記固定部位に案内する案内部材を設けた
ことを特徴とする開閉式港湾構造物。
【請求項６】
請求項５に記載の開閉式港湾構造物において、
前記案内部材は多数の孔が形成されたガイド板である
ことを特徴とする開閉式港湾構造物。
【請求項７】
一側辺が構造側部材に固定され他側辺が移動浮体に固定されて上辺が複数の浮体に取り付けられ水深方向及び水平方向に展開される面体を有し、前記移動浮体を固定部位に移動させて固定することで前記構造部材と前記固定部位との間に前記面体が展開される開閉式港湾構造物において、
前記面体が水深方向の上側に収納される
ことを特徴とする開閉式港湾構造物。
【請求項８】
請求項７に記載の開閉式港湾構造物において、
前記面体は、水深方向の途中部が上辺部側に保持されることで収納される
ことを特徴とする開閉式港湾構造物。
【請求項９】
請求項７に記載の開閉式港湾構造物において、
前記面体は、水深方向の下辺部が上辺部側に保持されることで収納される
ことを特徴とする開閉式港湾構造物。
【請求項１０】
請求項７に記載の開閉式港湾構造物において、
前記面体は、上辺部側に設けられた収納部材に保持されることで収納される
ことを特徴とする開閉式港湾構造物。
【請求項１１】
一側辺が構造側部材に固定され他側辺が移動浮体に固定されて上辺が複数の浮体に取り付けられ水深方向及び水平方向に展開される面体を有し、前記移動浮体を固定部位に移動させて固定することで前記構造部材と前記固定部位との間に前記面体が展開される開閉式港湾構造物において、
移動浮体には水深方向に延び前記面体の他辺部が固定されると共に前記固定部位に直接固定される止端部が設けられ、前記止端部の下端に漏水を阻止する膜部材を垂らして設けた
ことを特徴とする開閉式港湾構造物。
【請求項１２】
一側辺が構造側部材に固定され他側辺が移動浮体に固定されて上辺が複数の浮体に取り付けられ水深方向及び水平方向に展開される面体を有し、前記移動浮体を固定部位に移動させて固定することで前記構造部材と前記固定部位との間に前記面体が展開される開閉式港湾構造物において、
前記構造物側と前記固定部位とを結ぶ方向に対して交差する方向に前記浮体が並列する状態に前記移動浮体が位置して前記面体が収容され、
前記移動浮体は前記固定部位側及び前記構造側部材側に索体によってそれぞれつながれ、それぞれの索体を個別に引き込み操作及び繰り出し操作を行うことで前記移動浮体を移動させ、
前記移動浮体の移動時に該移動浮体の回動を阻止する回動阻止手段を備え、
前記移動浮体を前記固定部位に案内する多数の孔が形成されたガイド板を設け、
前記面体が水深方向の途中部が上辺部側に保持されることで水深方向の上側に収納され、
移動浮体には水深方向に延び前記面体の他辺部が固定されると共に前記固定部位に直接固定される止端部が設けられ、前記止端部の下端に漏水を阻止する膜部材を垂らして設けた
ことを特徴とする開閉式港湾構造物。
【請求項１３】
請求項１乃至請求項１２に記載の開閉式港湾構造物において、船舶の航路が形成された防潮・防波堤の前記航路を開閉するものであり、前記構造側部材は前記航路の一方側の防潮・防波堤であり、前記固定部位は前記航路の他方側の防潮・防波堤であることを特徴とする開閉式港湾構造物。
【発明の詳細な説明】
【技術分野】
【０００１】
本発明は、例えば、海側と河川や港等との境界部に設けられる開閉式港湾構造物に関し、津波や高潮等に対する防災用の防潮・防波堤として適用して好適である。
【背景技術】
【０００２】
台風到来時による高潮や、地震時の津波、豪雨時の浸水等に対する防災施策として、大型湾口に可動膜式の防潮・防波堤が種々開発されている（例えば、下記、特許文献１、特許文献２参照）。可動膜式の防潮・防波堤は、一側辺が航路の一方の防波堤に固定され、他側辺が移動浮体に固定され、上辺が複数の浮体に取り付けられ水深方向及び水平方向に展開される面体である膜（必要に応じてケーブルに膜が支持されている）を有し、移動浮体を航路の他方の固定部位に移動させて固定することで、航路に膜が展開されるようになっている。例えば、高潮発生時には、膜とケーブルで構成された可動膜式の防潮・防波堤で航路を閉鎖し、常時は防潮・防波堤を航路端部に格納される。
【０００３】
【特許文献１】特開２００３−１３４３１号公報
【特許文献２】特開２００３−２１３６５１号公報
【発明の開示】
【発明が解決しようとする課題】
【０００４】
可動膜式の防潮・防波堤を実用化する際には、移動浮体の移動及び固定部位への固定をスムーズにしかも速やかに行い、確実な止水を行う必要がある。これらのことは、移動浮体の移動機構や各部の形状等を種々的確に設計することで解決できる問題であるが、更なる的確化が望まれているのが現状である。
【０００５】
本発明は上記状況に鑑みてなされたもので、面体の展開及び収容がスムーズにしかも速やかに行える開閉式港湾構造物を提供することを目的とする。
【課題を解決するための手段】
【０００６】
上記目的を達成するための請求項１に係る本発明の開閉式港湾構造物は、
一側辺が構造側部材に固定され他側辺が移動浮体に固定されて上辺が複数の浮体に取り付けられ水深方向及び水平方向に展開される面体を有し、前記移動浮体を固定部位に移動させて固定することで前記構造部材と前記固定部位との間に前記面体が展開される開閉式港湾構造物において、
前記構造物側と前記固定部位とを結ぶ方向に対して交差する方向に前記浮体が並列する状態に前記移動浮体が位置して前記面体が収容され、
前記移動浮体は前記固定部位側及び前記構造側部材側に索体によってそれぞれつながれ、それぞれの索体を個別に引き込み操作及び繰り出し操作を行うことで前記移動浮体を移動させる
ことを特徴とする。
【０００７】
上記目的を達成するための請求項２に係る本発明の開閉式港湾構造物は、
一側辺が構造側部材に固定され他側辺が移動浮体に固定されて上辺が複数の浮体に取り付けられ水深方向及び水平方向に展開される面体を有し、前記移動浮体を固定部位に移動させて固定することで前記構造部材と前記固定部位との間に前記面体が展開される開閉式港湾構造物において、
前記移動浮体の移動時に該移動浮体の回動を阻止する回動阻止手段を備えた
ことを特徴とする。
【０００８】
そして、請求項３に係る本発明は、
請求項２に記載の開閉式港湾構造物において、
前記回動阻止手段は、前記移動浮体の水深方向の複数箇所に接続される索体であり、索体をそれぞれ個別に操作することで移動時の前記移動浮体の回動を阻止する
ことを特徴とする。
【０００９】
また、請求項４に係る本発明は、
請求項２に記載の開閉式港湾構造物において、
前記回動阻止手段は、前記移動浮体に複数の空洞の室が設けられることで構成され、複数の室に水を出し入れすることで移動時の前記移動浮体の回動を阻止する
ことを特徴とする。
【００１０】
上記目的を達成するための請求項５に係る本発明の開閉式港湾構造物は、
一側辺が構造側部材に固定され他側辺が移動浮体に固定されて上辺が複数の浮体に取り付けられ水深方向及び水平方向に展開される面体を有し、前記移動浮体を固定部位に移動させて固定することで前記構造部材と前記固定部位との間に面体が展開される開閉式港湾構造物において、
前記移動浮体を前記固定部位に案内する案内部材を設けた
ことを特徴とする。
【００１１】
そして、請求項６に係る本発明は、
請求項５に記載の開閉式港湾構造物において、
前記案内部材は多数の孔が形成されたガイド板である
ことを特徴とする。
【００１２】
上記目的を達成するための請求項７に係る本発明の開閉式港湾構造物は、
一側辺が構造側部材に固定され他側辺が移動浮体に固定されて上辺が複数の浮体に取り付けられ水深方向及び水平方向に展開される面体を有し、前記移動浮体を固定部位に移動させて固定することで前記構造部材と前記固定部位との間に前記面体が展開される開閉式港湾構造物において、
前記面体が水深方向の上側に収納される
ことを特徴とする。
【００１３】
そして、請求項８に係る本発明は、
請求項７に記載の開閉式港湾構造物において、
前記面体は、水深方向の途中部が上辺部側に保持されることで収納される
ことを特徴とする。
【００１４】
また、請求項９に係る本発明は、
請求項７に記載の開閉式港湾構造物において、
前記面体は、水深方向の下辺部が上辺部側に保持されることで収納される
ことを特徴とする。
【００１５】
また、請求項１０に係る本発明は、
請求項７に記載の開閉式港湾構造物において、
前記面体は、上辺部側に設けられた収納部材に保持されることで収納される
ことを特徴とする。
【００１６】
上記目的を達成するための請求項１１に係る本発明の開閉式港湾構造物は、
一側辺が構造側部材に固定され他側辺が移動浮体に固定されて上辺が複数の浮体に取り付けられ水深方向及び水平方向に展開される面体を有し、前記移動浮体を固定部位に移動させて固定することで前記構造部材と前記固定部位との間に前記面体が展開される開閉式港湾構造物において、
移動浮体には水深方向に延び前記面体の他辺部が固定されると共に前記固定部位に直接固定される止端部が設けられ、前記止端部の下端に漏水を阻止する膜部材を垂らして設けた
ことを特徴とする。
【００１７】
上記目的を達成するための請求項１２に係る本発明の開閉式港湾構造物は、
一側辺が構造側部材に固定され他側辺が移動浮体に固定されて上辺が複数の浮体に取り付けられ水深方向及び水平方向に展開される面体を有し、前記移動浮体を固定部位に移動させて固定することで前記構造部材と前記固定部位との間に前記面体が展開される開閉式港湾構造物において、
前記構造物側と前記固定部位とを結ぶ方向に対して交差する方向に前記浮体が並列する状態に前記移動浮体が位置して前記面体が収容され、
前記移動浮体は前記固定部位側及び前記構造側部材側に索体によってそれぞれつながれ、それぞれの索体を個別に引き込み操作及び繰り出し操作を行うことで前記移動浮体を移動させ、
前記移動浮体の移動時に該移動浮体の回動を阻止する回動阻止手段を備え、
前記移動浮体を前記固定部位に案内する多数の孔が形成されたガイド板を設け、
前記面体が水深方向の途中部が上辺部側に保持されることで水深方向の上側に収納され、
移動浮体には水深方向に延び前記面体の他辺部が固定されると共に前記固定部位に直接固定される止端部が設けられ、前記止端部の下端に漏水を阻止する膜部材を垂らして設けた
ことを特徴とする。
【００１８】
そして、請求項１３に係る本発明は、
請求項１乃至請求項１２に記載の開閉式港湾構造物において、船舶の航路が形成された防潮・防波堤の前記航路を開閉するものであり、前記構造側部材は前記航路の一方側の防潮・防波堤であり、前記固定部位は前記航路の他方側の防潮・防波堤であることを特徴とする。
【発明の効果】
【００１９】
請求項１の本発明では、
一側辺が構造側部材に固定され他側辺が移動浮体に固定されて上辺が複数の浮体に取り付けられ水深方向及び水平方向に展開される面体を有し、前記移動浮体を固定部位に移動させて固定することで前記構造部材と前記固定部位との間に前記面体が展開される開閉式港湾構造物において、
前記構造物側と前記固定部位とを結ぶ方向に対して交差する方向に前記浮体が並列する状態に前記移動浮体が位置して前記面体が収容され、
前記移動浮体は前記固定部位側及び前記構造側部材側に索体によってそれぞれつながれ、それぞれの索体を個別に引き込み操作及び繰り出し操作を行うことで前記移動浮体を移動させるので、
浮体が絡み合うことなく移動浮体を固定部材側に移動させることができ、面体の展開及び収容がスムーズにしかも速やかに行える開閉式港湾構造物となる。
【００２０】
請求項２の本発明では、
一側辺が構造側部材に固定され他側辺が移動浮体に固定されて上辺が複数の浮体に取り付けられ水深方向及び水平方向に展開される面体を有し、前記移動浮体を固定部位に移動させて固定することで前記構造部材と前記固定部位との間に前記面体が展開される開閉式港湾構造物において、
前記移動浮体の移動時に該移動浮体の回動を阻止する回動阻止手段を備えたので、
回動阻止手段により移動浮体の回動を阻止しながら移動させることで、移動浮体をバランスよく移動させることができ、面体の展開及び収容がスムーズにしかも速やかに行える開閉式港湾構造物となる。
【００２１】
請求項３の本発明では、
請求項２に記載の開閉式港湾構造物において、
前記回動阻止手段は、前記移動浮体の水深方向の複数箇所に接続される索体であり、索体をそれぞれ個別に操作することで移動時の前記移動浮体の回動を阻止するので、
索体の操作で移動浮体をバランスよく移動させることができる。
【００２２】
請求項４の本発明では、
請求項２に記載の開閉式港湾構造物において、
前記回動阻止手段は、前記移動浮体に複数の空洞の室が設けられることで構成され、複数の室に水を出し入れすることで移動時の前記移動浮体の回動を阻止するので、
水の出し入れにより移動浮体をバランスよく移動させることができる。
【００２３】
請求項５の本発明では、
一側辺が構造側部材に固定され他側辺が移動浮体に固定されて上辺が複数の浮体に取り付けられ水深方向及び水平方向に展開される面体を有し、前記移動浮体を固定部位に移動させて固定することで前記構造部材と前記固定部位との間に面体が展開される開閉式港湾構造物において、
前記移動浮体を前記固定部位に案内する案内部材を設けたので、
案内部材によって移動浮体を固定部位の所定位置に案内することができ、面体の展開及び収容がスムーズにしかも速やかに行える開閉式港湾構造物となる。
【００２４】
請求項６の本発明では、
請求項５に記載の開閉式港湾構造物において、
前記案内部材は多数の孔が形成されたガイド板であるので、
水流抵抗を低減することができ、ガイド板の軽量化が図れる。
【００２５】
請求項７の本発明では、
一側辺が構造側部材に固定され他側辺が移動浮体に固定されて上辺が複数の浮体に取り付けられ水深方向及び水平方向に展開される面体を有し、前記移動浮体を固定部位に移動させて固定することで前記構造部材と前記固定部位との間に前記面体が展開される開閉式港湾構造物において、
前記面体が水深方向の上側に収納されるので、
移動時の面体の抵抗を低減することができ、面体の展開及び収容がスムーズにしかも速やかに行える開閉式港湾構造物となる。
【００２６】
請求項８の本発明では、
請求項７に記載の開閉式港湾構造物において、
前記面体は、水深方向の途中部が上辺部側に保持されることで収納されるので、
面体を無理なく引き上げて水底との距離を大きくすることができる。
【００２７】
請求項９の本発明では、
請求項７に記載の開閉式港湾構造物において、
前記面体は、水深方向の下辺部が上辺部側に保持されることで収納されるので、
面体を無理なく引き上げることができる。
【００２８】
請求項１０の本発明では、
請求項７に記載の開閉式港湾構造物において、
前記面体は、上辺部側に設けられた収納部材に保持されることで収納されるので、
面体を無理なく引き上げて水底との距離を大きくすることができる。
【００２９】
請求項１１の本発明では、
一側辺が構造側部材に固定され他側辺が移動浮体に固定されて上辺が複数の浮体に取り付けられ水深方向及び水平方向に展開される面体を有し、前記移動浮体を固定部位に移動させて固定することで前記構造部材と前記固定部位との間に前記面体が展開される開閉式港湾構造物において、
移動浮体には水深方向に延び前記面体の他辺部が固定されると共に前記固定部位に直接固定される止端部が設けられ、前記止端部の下端に漏水を阻止する膜部材を垂らして設けたので、
膜部材に水圧が作用することでセルフシール状態となり、止端部の下方からの漏水を防ぐことができ、面体の展開及び収容がスムーズにしかも速やかに行える開閉式港湾構造物となる。
【００３０】
請求項１２の本発明では、
一側辺が構造側部材に固定され他側辺が移動浮体に固定されて上辺が複数の浮体に取り付けられ水深方向及び水平方向に展開される面体を有し、前記移動浮体を固定部位に移動させて固定することで前記構造部材と前記固定部位との間に前記面体が展開される開閉式港湾構造物において、
前記構造物側と前記固定部位とを結ぶ方向に対して交差する方向に前記浮体が並列する状態に前記移動浮体が位置して前記面体が収容され、
前記移動浮体は前記固定部位側及び前記構造側部材側に索体によってそれぞれつながれ、それぞれの索体を個別に引き込み操作及び繰り出し操作を行うことで前記移動浮体を移動させ、
前記移動浮体の移動時に該移動浮体の回動を阻止する回動阻止手段を備え、
前記移動浮体を前記固定部位に案内する多数の孔が形成されたガイド板を設け、
前記面体が水深方向の途中部が上辺部側に保持されることで水深方向の上側に収納され、
移動浮体には水深方向に延び前記面体の他辺部が固定されると共に前記固定部位に直接固定される止端部が設けられ、前記止端部の下端に漏水を阻止する膜部材を垂らして設けたので、
浮体が絡み合うことなく移動浮体を固定部材側に移動させることができ、
回動阻止手段により移動浮体の回動を阻止しながら移動させることで、移動浮体をバランスよく移動させることができ、
水流抵抗が少なく軽量化されたガイド板によって移動浮体を固定部位の所定位置に案内することができ、
移動時の面体の抵抗を低減することができ、
膜部材に水圧が作用することでセルフシール状態となり、止端部の下方からの漏水を防ぐことができ、
面体の展開及び収容がスムーズにしかも速やかに行える開閉式港湾構造物となる。
【００３１】
請求項１３の本発明では、
請求項１乃至請求項１２に記載の開閉式港湾構造物において、船舶の航路が形成された防潮・防波堤の前記航路を開閉するものであり、前記構造側部材は前記航路の一方側の防潮・防波堤であり、前記固定部位は前記航路の他方側の防潮・防波堤であるので、船舶の航路に対して面体の展開及び収容がスムーズにしかも速やかに行える開閉式防潮・防波堤とすることができる。
【発明を実施するための最良の形態】
【００３２】
以下本発明の実施の形態を図面に基づき詳細に説明する。
【００３３】
図１、図２には本発明の一実施形態例に係る開閉式港湾構造物の全体状況を示してあり、図１は航路を閉鎖（防潮膜の展開）した状態の斜視、図２には航路を開放（防潮膜の収容）した状態の斜視を示してある。また、図３には防潮膜を水深方向及び水平方向に展開した状態の外観、図４には防潮膜を収納した状態の外観、図５には図３中のV-V線矢視、図６には防潮膜の展開状況を表す平面、図７には移動浮体とアンカレッジとの結合状況を説明する平面、図８には図７の側面を示してある。
【００３４】
図１、図２に示すように、本発明の開閉式港湾構造物としての開閉式防潮・防波堤１は、面体としての防潮膜２を有し、防潮膜２の一側辺は固定部材としての固定浮体３に固定され、膨張膜２の他側辺は移動浮体４に固定されている。固定浮体３は陸地２０から延びて設けられた構造物としての防波堤５のアンカレッジ１９に固定され、移動浮体４は航路６を挟んで設けられた防波堤７の固定部材としてのアンカレッジ８に保持されるようになっている。
【００３５】
防潮膜２は水深方向及び水平方向に展張されるものであり、例えば、高強度の繊維材料で形成されている。図３、図４に示すように、防潮膜２は、固定浮体３と移動浮体４とにわたって延設された複数本のワイヤー９に支持されている。図５に示すように、防潮膜２の展開状態では、防潮膜２の下端が水底部の高水位側（図中左側）に延びて設けられ、水底に作用する水圧Ｐによってシールされた状態になっている（セルフシール機構）。
【００３６】
防潮膜２の上辺には複数（図には６個示してある）の浮体１０が設けられている。図３、図４に示すように、固定浮体３及び移動浮体４には止端部１１が設けられ、止端部１１は水底近傍まで延びる長尺形状をなしている。止端部１１には防潮膜２を支持するワイヤー９の端部がそれぞれ固定されている。防潮膜２は下端が水底部まで延びて設けられるため、ワイヤー９が固定される止端部１１は水底近傍まで延びる長尺状に形成されている。
【００３７】
図２に示すように、防潮膜２は、防波堤５及び防波堤７を方向に対して直交する方向（航路６の方向）に複数の浮体１０が並列する状態に移動浮体４が位置して収容されている。尚、図３、図４中の符号で１２は固定浮体３及び移動浮体４にそれぞれ設けられた錘、１３は各浮体１０にそれぞれ設けられた錘である。
【００３８】
図６に示すように、移動浮体４は索体としての引き込みワイヤー３７でアンカレッジ８につながれると共に、索体としての繰り出しワイヤー３８で陸地２０につながれている。引き込みワイヤー３７及び繰り出しワイヤー３８にはそれぞれ図示しないウインチ等の引き込み繰り出し機構がつながれ、引き込みワイヤー３７及び繰り出しワイヤー３８はそれぞれ独立して引き込み操作及び繰り出し操作が行われる。
【００３９】
防波堤５及び防波堤７を結ぶ方向に対して直交する方向（航路６の方向）に複数の浮体１０が並列する状態に移動浮体４が位置して防潮膜２が収容されている状態から、航路６を閉鎖する状態に防潮膜２を展開する場合、図６に示すように、引き込みワイヤー３７を引き込んで移動浮体４をアンカレッジ８に引き込むと同時に、引き込み動作に連動して繰り出しワイヤー３８を繰り出す。
【００４０】
これにより、複数の浮体１０が並列する状態に移動浮体４が位置して収容されている防潮膜２が展開した状態のままで、移動浮体４を真っ直ぐにアンカレッジ８側に移動させることができる。従って、移動浮体４や複数の浮体１０が絡み合うことがなく移動浮体４をアンカレッジ８に引き込むことができる。
【００４１】
図７、図８に基づいて移動浮体４のアンカレッジ８への固定を説明する。尚、アンカレッジ８とアンカレッジ１９は同一構成であり、固定浮体３のアンカレッジ１９への固定も同じ機構で行われる。
【００４２】
図に示すように、アンカレッジ８には平面視でコ字型をなし、開口部１４に移動浮体４が挿入されて収容される。アンカレッジ８の開口部には移動浮体４の挿入方向に直交する方向に駆動される一対の駆動シリンダ１５が対向して設けられ、移動浮体４が挿入された後に一対の駆動シリンダ１５が駆動することで移動浮体４の止端部１１が駆動シリンダ１５の駆動部１５aに挟持される。これにより、移動浮体４がアンカレッジ８に固定される。
【００４３】
移動浮体４には水深方向に長尺の止端部１１が設けられているので、移動の際にバランスを崩して回動方向に回転力が生じることが考えられる（図８中点線で示した状態）。このため、移動浮体４には回動阻止手段が備えられている。即ち、図８に示すように、移動浮体４には引き込みワイヤー１４に加えてバランスワイヤ１６が設けられ、バランスワイヤ１６は水深方法の下側に接続されている。
【００４４】
引き込みワイヤー１４で移動浮体４を引き込む際に、引き込みワイヤー１４の操作とは独立してバランスワイヤ１６の引き込み状況を制御することで、水深方向に長尺の止端部１１が設けられていても移動浮体４を水平状態で移動させることができる。このため、移動浮体４をバランスよくアンカレッジ８に引き込むことが可能になる。
【００４５】
尚、バランスワイヤ１６を２本以上設けることも可能であり、２本以上設けることで、更にバランスよく移動浮体４を移動させることができる。
【００４６】
回動阻止手段の他の実施形態例を図９、図１０に基づいて説明する。図９には移動浮体の他の実施形態例を表す断面平面、図１０には図９中のX-X線矢視を示してある。尚、上述の実施形態例と同一部材には同一符号を付してある。
【００４７】
図に示すように、移動浮体２１の内部は中空の空洞２２とされ、空洞２２は仕切板２３によって複数の室（図には上下に３分割、進行方向に４分割、幅方向に２分割の２２室）２４に分割されている。各室２４には独立して水が給・排水されるようになっている。即ち、移動浮体２１はバラストタンク構造により構成されている。
【００４８】
引き込みワイヤー１４で移動浮体４を引き込む際に、引き込みワイヤー１４の操作とは独立して移動浮体２１の回動を打ち消す状態になるように各室２４に水を給・排水する。各室２４への水の給・排水を制御することで、長尺の止端部１１が設けられていても移動浮体２１を水平状態で移動させることができる。このため、移動浮体２１をバランスよくアンカレッジ８に引き込むことが可能になる。
【００４９】
アンカレッジ８の開口部１４に移動浮体４が挿入される際、開口部１４に対して移動浮体４が直線的に挿入されれば開口部１４への挿入は容易である。しかし、航路６を閉鎖するために防潮膜２を展開する場合、水圧差により移動浮体４は流れを受けてアンカレッジ８の開口部１４への挿入は直線的にはならない。このため、アンカレッジ８の開口部１４の入り口には案内部材としてのガイド板が設けられている。
【００５０】
図１１乃至図１３に基づいてガイド板を説明する。図１１乃至図１３にはガイド板が設けられたアンカレッジ８に移動浮体４が引き込まれる状況を示してある。
【００５１】
図に示すように、アンカレッジ８の開口部１４の入り口の一方側には湾曲状態の円弧面を有するガイド板２６が取り付けられている。ガイド板２６が取り付けられる側は、例えば、港湾の防潮提に適用した場合、の開口部１４の入り口の港内側に取り付けられている。ガイド板２６には多数の孔が形成されている、即ち、網目状の板により構成されている。このため、港内の水流抵抗を低減することができると共にガイド板２６を軽量化することができる。
【００５２】
尚、ガイド板２６としては、網目状の板で構成するものに限らず、通常の板の全体に孔をあけたものや、水流抵抗に応じて部分的に孔をあけた板等を適用することが可能であり、場合によっては孔があけられていない板を適用することも可能である。また、形状も、湾曲状態の円弧面を有する形状に限らず、アンカレッジ８の開口部１４の入り口の間口を広げるように平面状の板を配置することも可能である。そして、ガイド板２６は港内側、港外側、両側のいずれにも取り付けることが可能であり、必要に応じて着脱するようにすることも可能である。
【００５３】
図１１に示すように、引き込みワイヤー１４で移動浮体４を引き込む際に、水圧差により移動浮体４が流れを受けて港内側（図中下側）に流された場合、ガイド板２６が設けられていないときは図中点線で示す位置に移動浮体４が引き込まれ、アンカレッジ８の開口部１４に対して大きな角度で挿入されることになる。ガイド板２６を設けたことにより、図１１、図１２に示すように、移動浮体４はガイド板２６の円弧面に沿ってアンカレッジ８の開口部１４に対して小さな角度で挿入され、図１３に示すように、略直線状態で移動浮体４がアンカレッジ８の開口部１４に引き込まれて駆動シリンダ１５の駆動部１５aに挟持される。
【００５４】
ガイド板２６を設けたことにより、移動浮体４が流れを受けて港内側に流されても、移動浮体４をスムーズにアンカレッジ８の開口部１４に引き込むことが可能になる。
【００５５】
防潮膜２の端部を支持する止端部１１は、水深方向に長尺となっているが、移動浮体４とともにアンカレッジ８の開口部１４に引き込まれる。このため、移動の抵抗を受けないように止端部１１の下端は水底との間に隙間が存在している。隙間が存在することにより漏水が発生し、防潮膜２を展開して航路６を閉鎖しても閉鎖が不十分になることが考えられる。このため、止端部１１の下端には漏水を防止する膜部材が設けられている。
【００５６】
図１４に基づいて漏水が防止された止端部１１の構成を説明する。図１４には港外側（水圧が高い側）から見た止端部１１の概略構成を示してある。
【００５７】
図に示すように、止端部１１の下端にはゴムなどの軟質材の膜部材としての止水膜２７が垂らして設けられている。止水膜２７の下端は水底部に延びて設けられ、水底に作用する水圧によってシールされた状態になる（セルフシール機構）。止水膜２７はゴムなどの軟質材で構成されているので、移動浮体４を移動させる場合に止水膜２７が水底に接触しても大きな抵抗となることはなく、移動の妨げになることはない。
【００５８】
止端部１１の下端に止水膜２７を設けたので、水底に作用する水圧によってシールされた状態になり、止端部１１の下端からの漏水を防止することができる。このため、防潮膜２を展開して航路６を閉鎖したときの止水性を向上させることが可能になる。
【００５９】
開閉式の防潮・防波堤では、航路を閉鎖・開放するために防潮膜２を展開・収容する場合、流体に対する抵抗を減らし展開・収容の駆動力を低減させる必要がある。また、水深方向に防潮膜２を展開している状態で航路を閉鎖・開放するために移動浮体４を移動させると、防潮膜２の下端面が水底面に接触する虞がある。このため、航路を閉鎖・開放するために防潮膜２を展開・収容する際には、防潮膜２は水深方向の上側に収納される。
【００６０】
図１５に基づいて防潮膜２の収容状況を説明する。図１５(a)には水深方向及び水平方向に防潮膜２が展開している状態、図１５(b)は防潮膜２が上側に収納された状態を示してある。
【００６１】
図１５(a)に示すように、浮体１０には巻き上げワイヤー３１が設けられ、巻き上げワイヤー３１の先端は防潮膜２の水深方向の途中部に接続され、巻き上げワイヤー３１の基端部は巻き上げ装置３２に支持されている。巻き上げワイヤー３１の先端は防潮膜２の下端から３分の１程度上方の部位に接続されている。
【００６２】
防潮膜２を展開・収容する場合、巻き上げ装置３２によって巻き上げワイヤー３１を巻き上げることで、図１５(b)に示すように、防潮膜２の水深方向の途中部が防潮膜２の上辺部側に引き上げられる。つまり、防潮膜２の水深方向の途中部が防潮膜２の上辺部側に保持された状態になる。このため、防潮膜２を無理なく引き上げて水底との距離Ｈを大きくすることができる。
【００６３】
図１６に基づいて防潮膜２の収容状況の他の例を説明する。図１６(a)には水深方向及び水平方向に防潮膜２が展開している状態、図１６(b)は防潮膜２が上側に収納された状態を示してある。尚、図１５に示した部材と同一部材には同一符号を付してある。
【００６４】
図１６(a)に示すように、浮体１０には巻き上げワイヤー３１が設けられ、巻き上げワイヤー３１の先端は防潮膜２の水深方向の下辺部に接続され、巻き上げワイヤー３１の基端部は巻き上げ装置３２に支持されている。
【００６５】
防潮膜２を展開・収容する場合、巻き上げ装置３２によって巻き上げワイヤー３１を巻き上げることで、図１６(b)に示すように、防潮膜２の下辺部が防潮膜２の上辺部側に引き上げられる。つまり、防潮膜２の水深方向の下辺部が防潮膜２の上辺部側に保持された状態になる。このため、防潮膜２を無理なく引き上げることができる。
【００６６】
図１７に基づいて防潮膜２の収容状況の他の例を説明する。図１７(a)には水深方向及び水平方向に防潮膜２が展開している状態、図１７(b)は防潮膜２が上側に収納された状態を示してある。尚、図１５、図１６に示した部材と同一部材には同一符号を付してある。
【００６７】
図１７(a)に示すように、浮体１０には収納部材としての収納ワイヤー３５が備えられ、収納ワイヤー３５は、基端部が巻き上げ装置３２側に支持固定されると共に、防潮膜２の裏表面を周回して防潮膜２を囲む状態で先端部が巻き上げ装置３２に支持されている。つまり、防潮膜２の上辺部側に収納部材としての収納ワイヤー３５が備えられた状態になっている。
【００６８】
防潮膜２を展開・収容する場合、巻き上げ装置３２によって収納ワイヤー３５を巻き上げることで、図１７(b)に示すように、防潮膜２が環状となった収納ワイヤー３５の内部に収納される。つまり、防潮膜２の上辺部側に備えられた収納ワイヤー３５に防潮膜２が保持されて収納された状態になる。いわゆる、すだれを収納する機構で防潮膜２が収納される。このため、防潮膜２を無理なく引き上げて水底との距離Ｈを大きくすることができる。
【００６９】
上述した可動膜式の防潮・防波堤は、移動浮体４の移動及びアンカレッジ８への固定がスムーズにしかも速やかに行え、止端部１１の下端を含めて確実な止水が行なえる。このため、防潮膜２の展開及び収容がスムーズにしかも速やかに行える可動膜式の防潮・防波堤とすることができる。
【産業上の利用可能性】
【００７０】
本発明は、津波や高潮等に対する防災用として海側と河川や港等との境界部に設けられる防潮・防波堤の産業上の分野で利用することができる。
【図面の簡単な説明】
【００７１】
【図１】航路を閉鎖（防潮膜の展開）した状態における本発明の一実施形態例に係る開閉式港湾構造物の全体状況の斜視図である。
【図２】航路を開放（防潮膜の収容）した状態における本発明の一実施形態例に係る開閉式港湾構造物の全体状況の斜視図である。
【図３】防潮膜を水深方向及び水平方向に展開した状態の外観図である。
【図４】防潮膜を収納した状態の外観図である。
【図５】図３中のV-V線矢視図である。
【図６】防潮膜の展開状況を表す平面図である。
【図７】移動浮体とアンカレッジとの結合状況を説明する平面図である。
【図８】図７の側面図である。
【図９】移動浮体の他の実施形態例を表す断面平面図である。
【図１０】図９中のX-X線矢視図である。
【図１１】ガイド板が設けられたアンカレッジ８に移動浮体４が引き込まれる状況の説明図である。
【図１２】ガイド板が設けられたアンカレッジ８に移動浮体４が引き込まれる状況の説明図である。
【図１３】ガイド板が設けられたアンカレッジ８に移動浮体４が引き込まれる状況の説明図である。
【図１４】港外側（水圧が高い側）から見た止端部１１の概略構成図である。
【図１５】防潮膜２の収容状況の説明図である。
【図１６】防潮膜２の収容状況の説明図である。
【図１７】防潮膜２の収容状況の説明図である。
【符号の説明】
【００７２】
１  開閉式防潮・防波堤
２  防潮膜
３  固定浮体
４,２１  移動浮体
５,７  防波堤
６  航路
８  アンカレッジ
９  ワイヤー
１０  浮体
１１  止端部
１２,１３  錘
１４  開口部
１５  駆動シリンダ
１６  バランスワイヤー
１９  アンカレッジ
２０  陸地
２２  空洞
２３  仕切板
２４  室
２６  ガイド板
２７  止水膜
３１  巻き上げワイヤー
３２  巻き上げ装置
３５  収納ワイヤー
３７  引き込みワイヤー
３８  繰り出しワイヤー
【図１】
2005264482.tif 000003
【図２】
2005264482.tif 000004
【図３】
2005264482.tif 000005
【図４】
2005264482.tif 000006
【図５】
2005264482.tif 000007
【図６】
2005264482.tif 000008
【図７】
2005264482.tif 000009
【図８】
2005264482.tif 000010
【図９】
2005264482.tif 000011
【図１０】
2005264482.tif 000012
【図１１】
2005264482.tif 000013
【図１２】
2005264482.tif 000014
【図１３】
2005264482.tif 000015
【図１４】
2005264482.tif 000016
【図１５】
2005264482.tif 000017
【図１６】
2005264482.tif 000018
【図１７】
2005264482.tif 000019